(57)【要約】【課題】従来の改良に係る防霜ファン装置は、首振り機構部にモータべースを介して設置する構成であって、少なくとも３部品を介して建柱に取付ける構成である。部品点数の省略によるコストの低下を考えた場合には、改良の余地が考えられる。またこの構成による部品点数の省略は一部に留まるので、組付けの容易化の達成と、組付け時間の短縮化等に課題を残す。また重量の軽減化を図るには、問題を抱えている。【構成】本発明は、建柱に被嵌された枢軸を備えた取付け筒と、枢軸に枢着し、かつ取付け筒に可動可能に設けた取付け台と、取付け台の長手方向の略中心位置に設けられ、かつその一端を枢軸に、また他端を取付け台の基端側に設けたクランク機構とで構成し、取付け台の基端側の裏面にモータを設け、モータの出力軸をクランク機構の基端側に設け、かつ取付け台に俯角調整自在に防霜ファン装置を設ける防霜ファン装置用の取付け台の構造である。【選択図】図１
2007321634.tif 000002
【特許請求の範囲】
【請求項１】
建柱に被嵌され、かつこの建柱の軸心位置に設けられた枢軸を備えた取付け筒と、この取付け筒の枢軸に枢着し、かつこの取付け筒に可動可能に設けられた取付け台と、この取付け台の長手方向の略中心位置に設けられ、かつその基端側に前記枢軸を枢着し、かつ他端をこの取付け台の基端側に設けられたクランク機構とで構成した防霜ファン装置用の取付け台であって、
この取付け台の基端側の裏面にモータ、又は減速機構を設け、このモータ、又は減速機構の出力軸を前記クランク機構の基端側に設けるとともに、この取付け台の自由端側に俯角調整自在に防霜ファン装置を設ける構成とした防霜ファン装置用の取付け台の構造。
【請求項２】
請求項１に記載の防霜ファン装置用の取付け台の構造であって、このクランク機構を、取付け筒に設けた枢軸に第一のクランク板を固止し、この第一のクランク板の自由端側に第二のクランク板の基端側を枢着し、またこの第二のクランク板の自由端側に揺動板の基端側を枢着し、この揺動板を前記モータ、又は減速機構の出力軸に設ける構成とした防霜ファン装置用の取付け台の構造。
【請求項３】
請求項１に記載の防霜ファン装置用の取付け台の構造であって、この揺動板を、前記取付け台の長手方向の基端側であって、その短手方向に開設した長孔に挿入するとともに、この長孔を隠蔽する支持板に架承し、当該揺動板に前記モータの出力軸を貫通する構成とした防霜ファン装置用の取付け台の構造。
【請求項４】
請求項１に記載の防霜ファン装置用の取付け台の構造であって、この防霜ファン装置を、取付け台の自由端側に設けた固定用のボルトと、この取付け台の自由端側のやや内側に設けた二条の円弧溝に嵌入した少なくとも一本のボルトとを介して俯角調整自在に取付ける構成とした防霜ファン装置用の取付け台の構造。
【請求項５】
請求項１に記載の防霜ファン装置用の取付け台の構造であって、そのクランク機構を、前記取付け台の上面に設置し、このクランク機構をこの取付け台に設けたカバーで隠蔽する構成とした防霜ファン装置用の取付け台の構造。
【請求項６】
請求項１に記載の防霜ファン装置用の取付け台の構造であって、この取付け台は、長手方向において、略山形状でなる構成であって、当該取付け台を、略平行な側板と、この側板に差渡し設けた上板とで一体に形成する構成とした防霜ファン装置用の取付け台の構造。
【請求項７】
請求項１に記載の防霜ファン装置用の取付け台の構造であって、この取付け台は、取付け筒に略水平位置関係に設ける構成であって、側面視して略Ｔ字形状に設ける構成とした防霜ファン装置用の取付け台の構造。
【請求項８】
請求項１に記載の防霜ファン装置用の取付け台の構造であって、この取付け台に、電源ＯＮ、ＯＦＦ用のスイッチを設ける構成とした防霜ファン装置用の取付け台の構造。
【請求項９】
請求項１に記載の防霜ファン装置用の取付け台の構造であって、この取付け台は、取付け筒に補強板及び／又は支持台を介して設ける構成とした防霜ファン装置用の取付け台の構造。
【発明の詳細な説明】
【技術分野】
【０００１】
本発明は、茶園、果樹園等に圃場に設置される防霜ファン装置用の取付け台の構造に関する。
【背景技術】
【０００２】
従来の防霜ファン装置は、特開平６−３３０８８９号の「首振送風機」に示されている構造が一般的である。この構造は、柱に被嵌される固定部と、この固定部に設けた回転部と、この回転部に架承したクランク機構を内設する旋回架台と、この旋回架台に俯角調整自在に設けたモータベースと、このモータベースに設けた防霜ファンとで構成されている。従って、この発明（従来の防霜ファン装置）は、防霜ファン装置が、少なくとも、固定部、回転部、旋回架台、と、モータベースとの四部品を介して柱に取付けられる構成である。従って、部品点数が多くなること、これによるコストの上昇が考えられる。また部品点数が多くなることは、組付けの複雑化、時間の無駄となり、また重量が嵩むこと等の課題が考えられる。
【０００３】
以上のような課題を解決するための一例として、特開昭５８−１３１３９７号の「首振装置付送風機」がある（文献（１）とする）。この発明は、柱に被嵌される取付け金具と、この取付け金具に首振り自在に設けた首振り機構部と、この首振り機構部に俯角調整自在に設けた防霜ファン用のモータベースと、このモータべースに設けた防霜ファン装置と、この防霜ファン装置の首振りを司る前記首振り機構部に内設するクランク機構とで構成されている。
【０００４】
【特許文献１】特開昭５８−１３１３９７号
【発明の開示】
【発明が解決しようとする課題】
【０００５】
前記文献（１）は、従来の参考文献に対しては、簡略化されているが、この発明は、防霜ファン装置を、首振り機構部にモータべースを介して設置する構成であって、３部品を介して建柱に取付けられる構成である。従って、部品点数の省略を介してコストの低下を考えた場合には、改良の余地が考えられる。またこの文献（１）の構成では、部品点数の省略が図れないので、例えば、組付けの容易化の達成と、組付け時間の短縮化等に課題を残すとともに、重量の軽減化を図るには、問題を抱えているものと思料される。
【０００６】
またこの文献（１）は、取付け金具に取付けフランジを介して固止したファンモータ支持軸に、このファンモータ支持軸に首振り機構部を設ける構成であるので、首振り機構部の取付け機構における安定性に問題があると考えられる。
【０００７】
そして、この文献（１）は、前述の如く、取付け金具に先上がり形状の首振り機構部を設ける構成であるので、首振り機構部の安定性に問題があると考えられる。
【課題を解決するための手段】
【０００８】
請求項１の発明は、防霜ファン装置を取付けるに際して、少ない部品を介して安定して取付けることを意図する。そして、この部品点数の減少化を介して組付けの容易化の達成と、組付け時間の短縮化等を達成すること、又は重量の軽減化を図ること等を意図する。また必要により、部品点数の省略を介してコストの低下を達成することを意図する。
【０００９】
請求項１は、建柱に被嵌され、かつこの建柱の軸心位置に設けられた枢軸を備えた取付け筒と、この取付け筒の枢軸に枢着し、かつこの取付け筒に可動可能に設けられた取付け台と、この取付け台の長手方向の略中心位置に設けられ、かつその基端側に前記枢軸を枢着し、かつ他端をこの取付け台の基端側に設けられたクランク機構とで構成した防霜ファン装置用の取付け台であって、
この取付け台の基端側の裏面にモータ、又は減速機構を設け、このモータ、又は減速機構の出力軸を前記クランク機構の基端側に設けるとともに、この取付け台の自由端側に俯角調整自在に防霜ファン装置を設ける構成とした防霜ファン装置用の取付け台の構造である。
【００１０】
請求項２の発明は、請求項１の目的を達成すること、この目的を達成するのに最適なクランク機構を提供することを意図する。
【００１１】
請求項２は、請求項１に記載の防霜ファン装置用の取付け台の構造であって、このクランク機構を、取付け筒に設けた枢軸に第一のクランク板を固止し、この第一のクランク板の自由端側に第二のクランク板の基端側を枢着し、またこの第二のクランク板の自由端側に揺動板の基端側を枢着し、この揺動板を前記モータ、又は減速機構の出力軸に設ける構成とした防霜ファン装置用の取付け台の構造である。
【００１２】
請求項３の発明は、請求項１の目的を達成すること、この目的を達成するのに最適な揺動板の取付け構造を提供することを意図する。
【００１３】
請求項３は、請求項１に記載の防霜ファン装置用の取付け台の構造であって、この揺動板を、前記取付け台の長手方向の基端側であって、その短手方向に開設した長孔に挿入するとともに、この長孔を隠蔽する支持板に架承し、当該揺動板に前記モータの出力軸を貫通する構成とした防霜ファン装置用の取付け台の構造である。
【００１４】
請求項４の発明は、請求項１の目的を達成すること、この目的を達成するのに最適な取付け台への防霜ファンの取付け構造を提供することを意図する。
【００１５】
請求項４は、請求項１に記載の防霜ファン装置用の取付け台の構造であって、この防霜ファン装置を、取付け台の自由端側に設けた固定用のボルトと、この取付け台の自由端側のやや内側に設けた二条の円弧溝に嵌入した少なくとも一本のボルトとを介して俯角調整自在に取付ける構成とした防霜ファン装置用の取付け台の構造である。
【００１６】
請求項５の発明は、請求項１の目的を達成すること、この目的を達成するのに最適なクランク機構の構造を提供することを意図する。
【００１７】
請求項５は、請求項１に記載の防霜ファン装置用の取付け台の構造であって、そのクランク機構を、前記取付け台の上面に設置し、このクランク機構をこの取付け台に設けたカバーで隠蔽する構成とした防霜ファン装置用の取付け台の構造である。
【００１８】
請求項６・７の発明は、請求項１の目的を達成すること、この目的を達成するのに最適な取付け台の構造を提供することを意図する。
【００１９】
請求項６は、請求項１に記載の防霜ファン装置用の取付け台の構造であって、この取付け台は、長手方向において、略山形状でなる構成であって、当該取付け台を、略平行な側板と、この側板に差渡し設けた上板とで一体に形成する構成とした防霜ファン装置用の取付け台の構造。
【００２０】
請求項７は、請求項１に記載の防霜ファン装置用の取付け台の構造であって、この取付け台は、取付け筒に略水平位置関係に設ける構成であって、側面視して略Ｔ字形状に設ける構成とした防霜ファン装置用の取付け台の構造である。
【００２１】
請求項８の発明は、請求項１の目的を達成すること、この目的を達成するのに最適で、かつ安全な取付け台の構造を提供することを意図する。
【００２２】
請求項８は、請求項１に記載の防霜ファン装置用の取付け台の構造であって、この取付け台に、電源ＯＮ、ＯＦＦ用のスイッチを設ける構成とした防霜ファン装置用の取付け台の構造である。
【００２３】
請求項９の発明は、請求項１の目的を達成すること、この目的を達成するのに最適で、かつ取付け台及び／又は防霜ファン装置を強固に取付け得る構造を提供することを意図する。
【００２４】
請求項９は、請求項１に記載の防霜ファン装置用の取付け台の構造であって、この取付け台は、取付け筒に補強板及び／又は支持台を介して設ける構成とした防霜ファン装置用の取付け台の構造である。
【発明の効果】
【００２５】
請求項１の発明は、建柱に被嵌され、かつ建柱の軸心位置に設けられた枢軸を備えた取付け筒と、取付け筒の枢軸に枢着し、かつ取付け筒に可動可能に設けられた取付け台と、取付け台の長手方向の略中心位置に設けられ、かつ基端側に枢軸を枢着し、かつ他端を取付け台の基端側に設けられたクランク機構とで構成した防霜ファン装置用の取付け台であって、
取付け台の基端側の裏面にモータ、又は減速機構を設け、モータ、又は減速機構の出力軸をクランク機構の基端側に設けるとともに、取付け台の自由端側に俯角調整自在に防霜ファン装置を設ける構成とした防霜ファン装置用の取付け台の構造である。
【００２６】
従って、請求項１は、防霜ファン装置を取付けるに際して、少ない部品を介して安定して取付け得る特徴がある。そして、この部品点数の減少化を介して組付けの容易化の達成と、組付け時間の短縮化等を達成できること、又は重量の軽減化が図れること等の特徴を有する。また必要により、部品点数の省略を介してコストの低下を達成できる実益がある。
【００２７】
請求項２の発明は、請求項１に記載の防霜ファン装置用の取付け台の構造であって、クランク機構を、取付け筒に設けた枢軸に第一のクランク板を固止し、第一のクランク板の自由端側に第二のクランク板の基端側を枢着し、また第二のクランク板の自由端側に揺動板の基端側を枢着し、揺動板をモータ、又は減速機構の出力軸に設ける構成とした防霜ファン装置用の取付け台の構造である。
【００２８】
従って、請求項２は、請求項１の目的を達成できること、この目的を達成するのに最適なリンク機構を提供できること等の特徴を有する。
【００２９】
請求項３の発明は、請求項１に記載の防霜ファン装置用の取付け台の構造であって、揺動板を、取付け台の長手方向の基端側であって、短手方向に開設した長孔に挿入するとともに、長孔を隠蔽する支持板に架承し、揺動板に前記モータの出力軸を貫通する構成とした防霜ファン装置用の取付け台の構造である。
【００３０】
従って、請求項３は、請求項１の目的を達成できること、この目的を達成するのに最適な揺動板の取付け構造を提供できること等の特徴を有する。
【００３１】
請求項４の発明は、請求項１に記載の防霜ファン装置用の取付け台の構造であって、防霜ファン装置を、取付け台の自由端側に設けた固定用のボルトと、取付け台の自由端側のやや内側に設けた二条の円弧溝に嵌入した少なくとも一本のボルトとを介して俯角調整自在に取付ける構成とした防霜ファン装置用の取付け台の構造である。
【００３２】
従って、請求項４は、請求項１の目的を達成できること、この目的を達成するのに最適な取付け台への防霜ファンの取付け構造を提供できること等の特徴を有する。
【００３３】
請求項５の発明は、請求項１に記載の防霜ファン装置用の取付け台の構造であって、クランク機構を、取付け台の上面に設置し、クランク機構をこの取付け台に設けたカバーで隠蔽する構成とした防霜ファン装置用の取付け台の構造である。
【００３４】
従って、請求項５は、請求項１の目的を達成できること、この目的を達成するのに最適なクランク機構の構造を提供できること等の特徴を有する。
【００３５】
請求項６の発明は、請求項１に記載の防霜ファン装置用の取付け台の構造であって、取付け台は、長手方向において、略山形状でなる構成であって、取付け台を、略平行な側板と、側板に差渡し設けた上板とで一体に形成する構成とした防霜ファン装置用の取付け台の構造。
【００３６】
請求項７の発明は、請求項１に記載の防霜ファン装置用の取付け台の構造であって、取付け台は、取付け筒に略水平位置関係に設ける構成であって、側面視して略Ｔ字形状に設ける構成とした防霜ファン装置用の取付け台の構造である。
【００３７】
従って、請求項６・７は、請求項１の目的を達成できること、この目的を達成するのに最適な取付け台の構造を提供できること等の特徴を有する。
【００３８】
請求項８の発明は、請求項１に記載の防霜ファン装置用の取付け台の構造であって、取付け台に、電源ＯＮ、ＯＦＦ用のスイッチを設ける構成とした防霜ファン装置用の取付け台の構造である。
【００３９】
従って、請求項８は、請求項１の目的を達成できること、この目的を達成するのに最適で、かつ安全な取付け台の構造を提供できること等の特徴を有する。
【００４０】
請求項９の発明は、請求項１に記載の防霜ファン装置用の取付け台の構造であって、取付け台は、取付け筒に補強板及び／又は支持台を介して設ける構成とした防霜ファン装置用の取付け台の構造である。
【００４１】
従って、請求項９は、請求項１の目的を達成できること、この目的を達成するのに最適で、かつ取付け台及び／又は防霜ファン装置を強固に取付け得る構造を提供できること等の特徴を有する。
【発明を実施するための最良の形態】
【００４２】
以下、本発明の実施の態様（形態）を説明する。
【００４３】
先ず、図面の説明をすると、図１は防霜ファン装置と取付け台とを全体視した斜視図、図２は図１の側面図、図３はクランク機構と取付け台とを示した要部の拡大側面図、図４は図３の俯瞰図、図５−１はクランク機構の動作を示しておりセンターに対し、防霜ファンが向って右に振った状態の拡大平面図、図５−２はクランク機構の動作を示しておりセンターに対し、防霜ファンがセンターに位置している状態の拡大平面図、図５−３はクランク機構の動作を示しておりセンターに対し、防霜ファンが向って左に振った状態の拡大平面図、図６はクランク機構の他方と揺動板とはモータの出力軸を介して連繋し、またこのクランク機構の一方と取付け筒とは枢軸を介して連繋した状態を示した拡大断面図、図７は取付け台と取付け筒との関係を示した拡大裏面図、図８は図７の斜視図、図９はクランク機構の他方と揺動板とは減速機構の出力軸を介して連繋し、またこのクランク機構の一方と取付け筒とは枢軸を介して連繋した状態を示した他の実施例の拡大断面図である。
【００４４】
図において、１は建柱２に被嵌される取付け筒で、この取付け筒１は筒状を呈する。そして、この取付け筒１にはフランジ３を介して枢軸５が立設されている。そして、この枢軸５はベアリング６を介して後述する取付け台７に枢着されるとともに、この枢軸５にフランジ３が設けられている。尚、この取付け台７は、長手方向７ａにおいて、略山形状でなる構成であって、かつこの取付け台７を、略平行な側板７０、７０（７０）とすると、側板７０に差渡し設けた上板７１とで一体に形成する。従って、この取付け台７に設けた枢軸５及び／又はフランジ３を介して着脱自在に、前記取付け筒１を設ける。そして、この例では、この取付け筒１の着脱をボルト８で行う構成であり、例えば、フランジ３の下側に、取付け筒１の上面を添接し、この添接した安定した状態で、ボルト８を締付けることで、簡易かつ確実に取付けができる。またその取外しは、その逆の操作で簡易にできる。そして、この取付け筒１の着脱で、組立て及び／又は修理等の作業の簡易化、確実性、又は迅速化、安定化等を意図する。また組立て及び／又は修理等の際の部品調達と、交換部品の共通化等にも途を開くものと考えられる。
【００４５】
前記取付け台７は、側板７０と上板７１で一体に形成し、その自由端側７２には、上板７１を切欠いて後述する防霜ファン装置のモータを取付ける空間１０を形成する。またこの空間１０の側板７０に俯角調整用の円弧溝１１をそれぞれ形成する。この例では、防霜ファン装置の大きさを考慮して、二条開設する。この例の如く、空間１０に位置する側板７０をモータベースとして利用することで、従来のモータベースを省略し、目的とする部品点数の減少化を意図する。
【００４６】
図中１５はクランク機構で、このクランク機構１５は、取付け台７の略中心位置に設けた枢軸５に基端側を固止した第一のクランク板１５０と、この第一のクランク板１５０の自由端側に（第二のクランク板の基端側）設けた第二のクランク板１５１と、この第二のクランク板１５１の自由端側に（揺動板の基端側）設けた揺動板１５２とで構成する。そして、各連結部にはワッシャー１６及び／又は連結ピン１７が設けられている。
【００４７】
また１８は取付け台７の基端側７３の上板７１に開設した長孔で、この長孔１８は、その短手方向７ｂに沿って開設されている。そして、この長孔１８は、この基端側７３の裏面側に設けた支持板１９で隠蔽される。この長孔１８と支持板１９で形成されたスペース２０にブッシュ２１を挿入する。このブッシュ２１を貫通する首振り用のモータ２２の出力軸２３を設け、この出力軸２３を前記揺動板１５２に固止する。尚、前記モータ２２は支持板１９に取付けるとともに、ベアリング２５を設ける。
【００４８】
図中２８は防霜ファン装置で、この防霜ファン装置２８は、ファン２８０と、このファン２８０を回転する防霜ファン用のモータ２８１とを主構成とし、取付け台７の自由端側７２の側板７０に開設した円弧溝１１に挿入し、モータ２８１の構成部材に螺入したボルト２９（止め具）と、同側板７０及び／又はモータ２８１の構成部材に螺入したボルト３０（止め具）とを介して、当該取付け台７の自由端側７２に固止される。またボルト２９の位置調整で、俯角調整する。
【００４９】
そして、防霜ファン装置２８に対する安全性の向上と、個々の防霜ファン装置２８の制御を意図して、電源ＯＮ、ＯＦＦ用のスイッチ３２を設けることもあり得る。この例は、図９に示しているが、図１〜図８の構成においても採用可能である。尚、３２０はスイッチレバーを示す。
【００５０】
以上のような構成において、取付け台７の動きと、防霜ファン装置２８の動きの一例を説明する。図２に示した建柱２に対して、側面視して略Ｔ字形状に於いては、取付け台７は、平面視して図５−１の状態であって、第一のクランク板１５０と、第２のクランク板１５１並びに揺動板１５２は、取付け台７の長手方向７ａの中心位置７ｃにある。従って、このクランク機構１５は最短の長さとなり、かつ取付け台７と、この取付け台７と同調する防霜ファン装置２８は、首振りの中心位置７ｃにある。
【００５１】
そして、この首振りの中心位置７ｃより、首振りが向って右側位置７ｄに至る動きを説明する。即ち、この中心位置７ｃにある取付け台７と防霜ファン装置２８を基点として、図５−２の状態に到るので、以下の動作を説明すると、モータ２２が回転し、出力軸２３が矢印（イ）の方向に回転することで、揺動板１５２と、第二のクランク板１５１が、それぞれの基端側を支点としてその自由端側が矢印（イ）の方向に振られる（移動する）とともに、この第二のクランク板１５１の自由端側の矢印（イ）の方向への移動に付随して、第一のクランク板１５０が矢印（ロ）の方向に振られる。しかし、第一のクランク板１５０の基端側が、枢軸５及び取付け筒１を介して建柱２に固定され、また揺動板１５２に設けられた出力軸２３がモータ２２を介して取付け台７に固定されている構成である。
【００５２】
この構成を採用することで、前述した第一のクランク板１５０の矢印（ロ）の方向、また第二のクランク板１５１、並びに揺動板１５２の矢印（イ）の方向に振られる動きは、取付け台７の動きに変換（第一のクランク板１５０の基端側が建柱２に固定されており、この第一のクランク板１５０の自由端側の動きに変換）されて、結果的には、この取付け台７が枢軸５を支点として振られる。従って、取付け台７は、中心位置７ｃから離れて、向って右側位置７ｄにある。
【００５３】
そして、前述の第一のクランク板１５０、第二のクランク板１５１、並びに揺動板１５２の動きは、モータ２２の出力軸２３を、取付け台７の長手方向７ａの中心線に対して偏芯した位置に設ける構成であることが望ましい（他の動きも同様である）。
【００５４】
次の動きであるこの首振りの右側位置７ｄより、首振りが向って左側位置７ｅに至る動きを説明する。尚、この動きの場合には、一度、前述の中心位置７ｃを経由するが、その詳細は割愛し、図５−３の状態に到るので、以下その動作を説明する。即ち、この向って右側位置７ｄにある取付け台７と防霜ファン装置２８を基点として、以下の動作を説明すると、モータ２２が回転し、出力軸２３が矢印（イ）の方向に回転することで、揺動板１５２と、第二のクランク板１５１が、それぞれの基端側を支点としてその自由端側が矢印（イ）の方向に振られ、かつ中心位置７ｃを経過しながら矢印（イ）の方向に振られるとともに、この第二のクランク板１５１の自由端側の矢印（イ）の方向への大きな移動に付随して、第一のクランク板１５０がさらに矢印（ロ）の方向に振られ、かつ中心位置７ｃを経過しながら矢印（ロ）の方向に振られる。しかし、第一のクランク板１５０の基端側が、枢軸５及び取付け筒１を介して建柱２に固定され、また揺動板１５２に設けられた出力軸２３がモータ２２を介して取付け台７に固定されている構成である。
【００５５】
この構成を採用することで、前述した第一のクランク板１５０の中心位置７ｃを越えた矢印（ロ）の方向、また第二のクランク板１５１、並びに揺動板１５２の中心位置７ｃを越えた矢印（イ）の方向に振られる動きは、取付け台７の動きに変換（第一のクランク板１５０の基端側が建柱２に固定されており、この第一のクランク板１５０の自由端側の動きに変換）されて、結果的には、この取付け台７が枢軸５を支点として振られる。従って、取付け台７は、中心位置７ｃから離れて、向って左側位置７ｅにある。
【００５６】
そして、前記取付け台７の基端側７３に開設した長孔１８の下側を隠蔽するように、支持板１９を着脱自在に設け、この支持板１９にモータ２２及び／又は出力軸２３を設ける構成であるので、例えば、モータ２２及び／又は出力軸２３を安定して取付け得ること、この出力軸２３の立設と、精度の向上が図れること、またクランク機構１５の動きの安定性と、取付け台７への平行な組付け及び／又は動きが確保できること等の実益がある。そして、モータ２２及び／又は出力軸２３、又は揺動板１５２等の分解及び／又は組付けの容易化、迅速化等に寄与できる。尚、図中４０は、取付け台７の上方に設けたクランク機構１５閉塞用のカバーである。
【００５７】
また図９の他の実施例は、取付け台７の強度の向上と、クランク機構１５の簡易な取付けを意図した構成であり、取付け台７は、取付け筒１に補強板３５と支持台３６を介して設ける。この構成は、防霜ファン装置２８の重量（重心）が掛かる位置と、取付け筒１の軸心に掛かる位置とのバランスを確保し、取付け台７の強度を確保することを意図する。そして、支持台３６を山形形状とすることも、前記バランス感覚及び／又は強度の向上に寄与できる特徴がある。尚、３７は支持板で、この支持板３７は、取付け台７の裏面に設け、支持台３６と取付け台７の上板７１とを連繋する。またこの例では、モータ２２の回転を減速機構３８（ギヤボックス）を介して出力軸２３０に伝達する構成であり、所定の回転をクランク機構１５に伝える構造である。尚、この他の実施例は長孔１８を設けない構成であるが、他の構成は前述の例に準ずる。
【図面の簡単な説明】
【００５８】
【図１】図１は防霜ファン装置と取付け台とを全体視した斜視図
【図２】図２は図１の側面図
【図３】図３はクランク機構と取付け台とを示した要部の拡大側面図
【図４】図４は図３の俯瞰図
【図５−１】図５−１はクランク機構の動作を示しておりセンターに対し、防霜ファンがセンターに位置している状態の拡大平面図
【図５−２】図５−２はクランク機構の動作を示しておりセンターに対し、防霜ファンが向って右に振った状態の拡大平面図
【図５−３】図５−３はクランク機構の動作を示しておりセンターに対し、防霜ファンが向って左に振った状態の拡大平面図
【図６】図６はクランク機構の他方と揺動板とはモータの出力軸を介して連繋し、またこのクランク機構の一方と取付け筒とは枢軸を介して連繋した状態を示した拡大断面図
【図７】図７は取付け台と取付け筒との関係を示した拡大裏面図
【図８】図８は図７の斜視図
【図９】図９はクランク機構の他方と揺動板とは減速機構の出力軸を介して連繋し、またこのクランク機構の一方と取付け筒とは枢軸を介して連繋した状態を示した他の実施例の拡大断面図
【符号の説明】
【００５９】
１            取付け筒
２            建柱
３            フランジ
５            枢軸
６            ベアリング
７            取付け台
７ａ          長手方向
７ｂ          短手方向
７ｃ          中心位置
７ｄ          右側位置
７ｅ          左側位置
７０          側板
７１          上板
７２          自由端側
７３          基端側
８            ボルト
１０          空間
１１          円弧溝
１５          クランク機構
１５０        第一のクランク板
１５１        第二のクランク板
１５２        揺動板
１６          ワッシャー
１７          連結ピン
１８          長孔
１９          支持板
２０          スペース
２１          ブッシュ
２２          モータ
２３          出力軸
２３０        出力軸
２５          ベアリング
２８          防霜ファン装置
２８０        ファン
２８１        モータ
２９          ボルト
３０          ボルト
３２          スイッチ
３２０        スイッチレバー
３５          補強板
３６          支持台
３７          支持板
３８          減速機構
４０          カバー
【図１】
2007321634.tif 000003
【図２】
2007321634.tif 000004
【図３】
2007321634.tif 000005
【図４】
2007321634.tif 000006
【図５−１】
2007321634.tif 000007
【図５−２】
2007321634.tif 000008
【図５−３】
2007321634.tif 000009
【図６】
2007321634.tif 000010
【図７】
2007321634.tif 000011
【図８】
2007321634.tif 000012
【図９】
2007321634.tif 000013